(57)【要約】      （修正有）【課題】ＬＥＤ装飾照明器具において、これらの光りの点滅周期を速くしたり、遅くする切り替え操作に依って、使用者の気分を活性と癒しの雰囲気つくりの出来る、ＬＥＤ装飾照明具を提供する。【解決手段】電源１、スイッチ２、電子回路体３を介し、発光するＬＥＤ４とでなる光源ユニット体Ａを収容するケース体ＢＢに係合してなる透明乃至半透明の筒状体或いは円錐形等のフード体とからなる装飾照明器具において、前記多色ＬＥＤ４の点滅を比較的早い点滅装置と、比較的遅い点滅装置のグループに分け、これらのグループをそれぞれ切り替えスイッチ４ａ手段操作に依って、相互の点滅を任意に切り替え可能な構成にする。【選択図】図１
2010015962.tif 000002
【特許請求の範囲】
【請求項１】
電源１、スイッチ２、電子回路体３を介し、発光するＬＥＤ４とでなる光源ユニット体Ａを収容するケース体ＢＢに係合してなる透明乃至半透明の筒状体Ｃ或いは円錐形等のフード体Ｂとからなる装飾照明器具において、前記ＬＥＤ４の点滅を比較的早い点滅装置ＭＮと、比較的遅い点滅装置ＭＸのグループに分け、これらのグループをそれぞれ切り替えスイッチ４ａ手動操作に依って、相互の点滅を任意に切り替え可能にした事を特徴とするＬＥＤ装飾照明器具。
【請求項２】
前記するフード体Ｂの筒状体Ｃを例えば、第１筒状体Ｃａ、第２筒状体Ｃｂ、第３筒状体Ｃｃに分割し、それぞれが伸縮自在でのフード体Ｂにするか、または、装飾を兼ねたバラエティーに富んだキャラクター形状Ｄにしたり、更に、それらの表面にシボ処理ＤＤや凸凹カット処理などで、ＬＥＤ４発光を反射、分散或いは透過させることで、多彩で審美な光りの模様をかもし出すフード体Ｂにした事を特徴とする請求項１記載のＬＥＤ装飾照明器具。
【請求項３】
前記するフード体Ｂの一部に掛け孔Ｂａなどを開口し、置きと壁掛けの両用使いにしたことを特徴とする請求項１または、２項記載のＬＥＤ装飾照明器具。
【請求項４】
前記するＬＥＤ４の早い点滅装置ＭＮと遅い点滅装置ＭＸの切り替え手段を例えば、双方のＬＥＤ４，電子回路体３でなる点滅装置に配線する電源１を共用電源にし、切り替えスイッチ４ａの切り替え操作に依って、電源供給をＯＮかＯＦＦにする事で、双方の手動による切り替えを本実施例とするが、例えば、電子回路体３に双方のロジックを組みこみ、回路選択での切り替えも出来るなどの、切り替え手段を具備したことを特徴とする請求項１、２、または、３項記載のＬＥＤ装飾照明器具。
【発明の詳細な説明】
【技術分野】
【０００１】  この発明は、乾電池を電源にして発光するＬＥＤ（発光ダイオード）の色彩光を反射や拡散，分散，複合などに変換する透過性の合成樹脂製のフード体と一体化した装飾照明器具の改良に関する。
【背景技術】
【０００２】  この種の従来の技術として、例えば、特開２００１−７６５１５で開示される発明の名称「ＬＥＤを使用した照明器具」で知られる、これらは、複数のＬＥＤの光源から照射された多彩な複数個の光りを，配設された被写体に投光させて多彩な模様を生じさせる為に、複数個のＬＥＤを乾電池で点燈させる構成からなる照明器具のランプ台に、サンドブラスト酸処理を施したガラス、或いは、半透明のガラス更には、和紙などの被写体が配設された材質の選択の他に、形状によって、それぞれ、多彩な光りの模様を施す構成である。【０００３】  又、特開２００３−３１７５１６で開示される発明の名称「ＬＥＤ光源を用いた光ファイバー装飾装置及びその装飾品」で知られる、これらは、光りファイバーの端部に、５ｍｍ〜１００ｍｍ離れた位置に、赤，青、緑に発光するＬＥＤを配置した構成にし、これらのＬＥＤを重ね合わせ、色の合成、或いは、ＬＥＤの発光量を徐々に変化させたり、或いは発光量の変化を加色混合色にしたりしている。【０００４】  そして、これらの発光量の変化を、マイコンで制御するか、或いは、手動切り替えによって、発光色や発光量を変える構成としている。
【発明の開示】
【発明が解決しようとする課題】
【０００５】  しかしながら、上述する従来の技術の場合は、特開２００１−７６５１５においては、ＬＥＤの点滅モードを常時単一モードの繰り返し構成で、点滅スピードを切り替え、例えばテンポの速い点滅で其の場にいる利用者の気分をハイにし、そう快な雰囲気と、テンポのゆっくりとした点滅で、其の場にいる利用者の気分を癒したりする雰囲気をかもし出す事の出来ない、単なる多色面発光の暗がりを照らす照明器具に限定されるという課題が残る。【０００６】  次ぎに、特開２００３−３１７５１６においては、ＬＥＤの発光量を変化させたり、発光量の変化を加色混合色にマイコン制御や手動切り替えで、モードの切り替えを行うが、光ファイバーでの被写体構成の為、ＬＥＤの光りを屈折、分散或いは、透過による光りの多彩な模様をかもし出すための被写体を持たない構成の為、利用者の気分をそう快にしたり、癒したりする雰囲気作りに不向きで、本発明での用途は、看板、屋外装飾、バス広告、クリスマスツリー、など主流で有る等の課題がある。【０００７】  このように、何れの発明も一つの用品を利用者がリビングや寝室、或いは、勉強部屋、応接間などに配置し、其の場の雰囲気をハイにしたり、癒しに使えるなどの両用使いの選択自在で、且つ日中での不点燈では、インテリア用品としての使用価値のあるＬＥＤ装飾照明器具にする事で、単なる多彩な装飾照明だけでなく、日常生活をそう快に、活力を与えてくれる用品に転用出来る全く新しいＬＥＤ装飾照明器具を広く要望されていた。
【課題を解決するための課題】
【０００８】  この発明はかかる課題を解決する為に、請求項１での本発明は、図１全体図で述べるに、電源１、スイッチ２、電子回路体３を介し、発光するＬＥＤ４とでなる光源ユニット体Ａを収容するケース体ＢＢに係合してなる透明乃至半透明の筒状体Ｃ或いは円錐形等のフード体Ｂとからなる装飾照明器具において、前記ＬＥＤ４の点滅を比較的早い点滅装置ＭＮと、比較的遅い点滅装置ＭＸのグループに分け、これらのグループをそれぞれ切り替えスイッチ４ａ手動操作に依って、相互の点滅を任意に切り替え可能な構成とする。
または、図２で示す様に、前記す照明具本体Ｂの筒状体Ｃを例えば、第１筒状体Ｃａ、第２筒状体Ｃｂ、第３筒状体Ｃｃに分割しそれぞれが伸縮自在でのフード体Ｂにするが、または、図３で示す様に、装飾を兼ねたバラエティーに富んだキャラクター形状Ｄにしたり、更に、それらの表面にシボＤＤや凸凹カント処理などで、ＬＥＤ４発光を反射、分散或いは透過させることで、多彩で審美な模様をかもし出す照明具本体Ｂの構成とする。
【発明の効果】
【０００９】  本発明は、上述の通り構成作用するので次ぎ優れた効果を奏する．即ち、請求項１、４での効果は、ＬＥＤの多色発光の色彩リズムを早い点滅とゆっくりとした蛍の点滅モードに手動切り替えで選択が出来、両用の雰囲気をかもし出せることで、利用者の気分を元気付けたり、和らげたりする雰囲気作りに役立つ、ＬＥＤ装飾照明器具を提供出来る。
【００１０】  次ぎに、請求項２での効果は、多色のＬＥＤの発光を分散、屈折、拡散、透過、反射と多彩で審美な模様をかもし出すフード体や、これらを伸縮自在に出来、搬送収納に便利な構成にしたり、或いは、装飾を兼ねたバラエティーに富んだ、キャラクター形状にする事で、置物装飾品として使えるフード体構成でなる、ＬＥＤ装飾照明器具を提供出来る。
【００１１】  次ぎにまた、請求項３での効果は、壁掛けと、テーブルに置いて両用に使えることで、配置場所を好きなスペースを設けることの出来る使い易い、ＬＥＤ装飾照明器具を提供出来る。
【発明を実施するための最良の形態】
【００１２】以下に図示の実施例に基づいて本発明を更に詳細に説明する。即ち、図１は本発明での第１実施例に基づく一部断面での斜視図で、図４はこれらの装置に関する、配線回路ブロック図を示すが、図１において、例えば、透過樹脂材での透明乃至半透明の筒状体Ｃ或いは円錐形等からなるフード体Ｂと、其れに係合して一体化構成のケース体ＢＢを配設してなるが、このケース体ＢＢには有底でなり、図４で述べる配線回路ブロック図で述べる仕組みでなる光源ユニット体Ａが収容されるが、発光する複数個のＬＥＤ４はケース体ＢＢ側面より露出する光りがフード体Ｂに投光する構成である。即ち、プリント基板に配設されてなる光源ユニット体Ａには、１ブロックの電源１が２モードの電子回路体３と多色のＬＥＤ４とに、それぞれ電源１をＯＮ，ＯＦするスイッチ２と切り替えスイッチ４ａを介在し配線され、これらはの２モードでなる電子回路３、ＬＥＤ４の片方は、早い点滅装置ＭＮでなる電子回路体３で、他方は、遅い点滅装置ＭＸでなる電子回路３でなり、それぞれが１個の切り替えスイッチ４ａに配線された１個の電源１をどちらがの電子回路体３に手動操作で結線し、ＬＥＤ点灯を選択する構成である。【００１３】  次ぎに、図２は本発明での第２実施例に基づいての全体を示す斜視図で、図注（ａ）は前記するフード体Ｂの筒状体Ｃを第１筒状体Ｃａと第２筒状体Ｃｂと第３筒状体Ｃｃに分割し、それぞれが係合し、それぞれが伸縮自在でのフード体Ｂにするか，または、図３で示すように、装飾を兼ねたバラエティーに富んだキャラクター形状Ｄにする構成とする。そしてまた、これらの透過性合成樹脂材でなる表面にシボ処理ＤＤや凹凸カット処理などで、ＬＥＤ発光を反射、分散或いはプリズムカットで光りの屈折、透過等で、多彩で審美な光りの模様をかもし出す構成である。【００１４】  次ぎに、本発明を示す第３実施例の図は第１実施例の図１で説明するに、前記するフード体Ｂの一部に掛け孔Ｂａを開口し、置き使用の他に壁掛けにも使える構成で、壁面にフックを設け、フード体Ｂに開口する掛け孔Ｂａを其のフックに差し込む等で使用を自在にする構成である。
【図面の簡単な説明】
【００１５】
【図１】  本発明に係わる第１実施例での一部断面での全体を示す斜視図である。
【図２】  図中（ａ）は本発明に係わる第２実施例での使用例での斜視図である。図中（ｂ）は本発明に係わる第２実施例での収納状態での斜視図である。
【図３】  本発明に係わる第２実施例での他の例を示す斜視図である。
【図４】  本発明に係わる第１実施例の回路ブロック図である
【符合の説明】
【００１６】    Ａ      光源ユニット体
Ｂ      フード体
ＢＢ    ケース体
Ｂａ    掛け孔
Ｃ      筒状体
Ｃａ    第１筒状体
Ｃｂ    第２筒状体
Ｃｅ    第３筒状体
Ｄ      キャラクター形状
ＤＤ    シボ処理
ＭＡ    遅い点滅装置
ＭＸ    速い点滅装置
【図１】
2010015962.tif 000003
【図２】
2010015962.tif 000004
【図３】
2010015962.tif 000005
【図４】
2010015962.tif 000006